(57)【要約】【課題】  反発特性に優れたゴルフクラブヘッド及びゴルフクラブを提供する。【解決手段】  スイートスポットＳＳを含む基準平面内において定義されるｘ軸及びｙ軸についての基準断面の断面２次モーメントＩｘ、Ｉｙを、それぞれ３０００００（ｍｍ４）〜５５００００（ｍｍ４）及び１５００００（ｍｍ４）〜３５００００（ｍｍ４）の範囲に設定する。また、比（Ｉｘ／Ｉｙ）を１．３〜３．０とする。【選択図】    図３
2005334327.tif 000002
【特許請求の範囲】
【請求項１】
ヘッドを所定のライ角及びロフト角で水平面上に載置した状態において、ヘッド重心からフェース面に下ろした垂線である基準垂線を含み且つ前記水平面と垂直な平面を基準平面とし、
前記基準平面によるヘッド断面を基準断面とし、
前記基準平面内に位置するとともに前記基準断面の図心を通り且つ前記基準垂線と垂直な軸をｘ軸とし、
前記基準平面内に位置するとともに前記基準断面の図心を通り且つ前記基準垂線と平行な軸をｙ軸としたとき、
前記ｘ軸についての前記基準断面の断面２次モーメントＩｘが３０００００（ｍｍ４）以上５５００００（ｍｍ４）以下であり、前記ｙ軸についての前記基準断面の断面２次モーメントＩｙが１５００００（ｍｍ４）以上３５００００（ｍｍ４）以下であり、前記Ｉｘと前記Ｉｙとの比（Ｉｘ／Ｉｙ）が１．３以上３．０以下であることを特徴とするゴルフクラブヘッド。
【請求項２】
前記Ｉｘが３２００００（ｍｍ４）以上４５００００（ｍｍ４）以下であり、前記（Ｉｘ／Ｉｙ）が１．４以上１．８以下であることを特徴とする請求項１に記載のゴルフクラブヘッド。
【請求項３】
請求項１又は請求項２に記載のゴルフクラブヘッドを備えたゴルフクラブ。
【請求項４】
ヘッドを所定のライ角及びロフト角で水平面上に載置した状態において、ヘッド重心からフェース面に下ろした垂線である基準垂線を含み且つ前記水平面と垂直な平面を基準平面とし、
この基準平面によるヘッド断面を基準断面とし、
前記基準平面内に位置するとともに前記基準断面の図心を通り且つ前記基準垂線と垂直な軸をｘ軸とし、
前記基準平面内に位置するとともに前記基準断面の図心を通り且つ前記基準垂線と平行な軸をｙ軸としたとき、
前記ｘ軸についての前記基準断面の断面２次モーメントＩｘの値と、前記ｙ軸についての前記基準断面の断面２次モーメントＩｙの値と、前記Ｉｘと前記Ｉｙとの比（Ｉｘ／Ｉｙ）の値とを考慮することを特徴とするゴルフクラブヘッドの設計方法。
【請求項５】
前記Ｉｘを３０００００（ｍｍ４）以上５５００００（ｍｍ４）以下とし、前記Ｉｙを１５００００（ｍｍ４）以上３５００００（ｍｍ４）以下とし、前記（Ｉｘ／Ｉｙ）を１．３以上３．０以下とすることを特徴とする請求項４に記載のゴルフクラブヘッドの設計方法。
【発明の詳細な説明】
【技術分野】
【０００１】
本発明は、ゴルフクラブヘッドと、これを用いたゴルフクラブと、ゴルフクラブヘッドの設計方法とに関するものである。
【背景技術】
【０００２】
ゴルフクラブヘッドの反発特性を増大させる手法として、フェース部分又はフェース部分の近傍におけるヘッド肉厚を薄くすることが提案されている。特許文献１には、フェース部近傍に薄肉部を設けることにより、打球時におけるフェースの弾性的な撓みを増大させ、反発性を高めることができると記載されている。（特許文献１参照。）。
【特許文献１】特開２００３−２１０６２７号公報
【発明の開示】
【発明が解決しようとする課題】
【０００３】
しかしながら、打球時においては、フェース部分やその近傍には極めて大きな応力が作用するから、薄肉化しすぎるとヘッド強度が不足してしまう。よって、反発性を向上させるための薄肉化にはおのずと限界がある。
また、ヘッド素材をチタン合金やＣＦＲＰ（炭素繊維強化プラスチック）等の高比強度材料で構成することにより、ヘッドの設計自由度が高まり、反発特性を向上させることが可能であるが、これも新たな材料が見つからない限りさらなる反発特性の向上は望めない。
発明者は、更に反発特性の向上が可能なゴルフクラブヘッドについて検討を重ね、従来にない新たな視点から反発特性を向上させる本発明を見いだした。即ち、所定断面の断面２次モーメントを考慮することにより、単にヘッド肉厚を薄肉化する手法やヘッド材質を工夫する手法によらなくても更に高反発化、高強度化が達成できることを見いだした。
本発明は、更なる反発性能の向上が可能なゴルフクラブヘッドを提供することを目的としている。
【課題を解決するための手段】
【０００４】
本発明のゴルフクラブヘッドは、ヘッドを所定のライ角及びロフト角で水平面上に載置した状態において、ヘッド重心からフェース面に下ろした垂線である基準垂線を含み且つ前記水平面と垂直な平面を基準平面とし、前記基準平面によるヘッド断面を基準断面とし、前記基準平面内に位置するとともに前記基準断面の図心を通り且つ前記基準垂線と垂直な軸をｘ軸とし、前記基準平面内に位置するとともに前記基準断面の図心を通り且つ前記基準垂線と平行な軸をｙ軸としたとき、前記ｘ軸についての前記基準断面の断面２次モーメントＩｘが３０００００（ｍｍ４）以上５５００００（ｍｍ４）以下であり、前記ｙ軸についての前記基準断面の断面２次モーメントＩｙが１５００００（ｍｍ４）以上３５００００（ｍｍ４）以下であり、前記Ｉｘと前記Ｉｙとの比（Ｉｘ／Ｉｙ）が１．３以上３．０以下であることを特徴とする。さらに、前記Ｉｘが３２００００（ｍｍ４）以上４５００００（ｍｍ４）以下であり、前記（Ｉｘ／Ｉｙ）が１．４以上１．８以下であることを特徴とするのが好ましい。
【０００５】
このようにすると、Ｉｘ及びＩｙの値が最適化されるから、ヘッドの変形量が十分に確保されるとともに、打球時のエネルギーロスが最小限となり、反発性能が向上する。即ち、Ｉｘ又はＩｙが大すぎすぎてヘッドの変形量が不足したり、Ｉｘ又はＩｙが小さすぎてヘッドが変形しすぎエネルギーロスを生じたりすることがない。そして、比（Ｉｘ／Ｉｙ）が所定値以下であるから、Ｉｘが大きすぎてフェース・バック方向への変形が不足したり、Ｉｙが小さすぎて上下方向へ過剰に変形してエネルギーロスが過大となることがない。また、比（Ｉｘ／Ｉｙ）が所定値以上であるから、Ｉｘが小さすぎてフェース・バック方向へ過剰に変形しエネルギーロスが過大となったり、Ｉｙが大きすぎて上下方向への変形が不足したりすることがない。
【０００６】
本発明におけるゴルフクラブヘッドの設計方法は、ヘッドを所定のライ角及びロフト角で水平面上に載置した状態において、ヘッド重心からフェース面に下ろした垂線である基準垂線を含み且つ前記水平面と垂直な平面を基準平面とし、この基準平面によるヘッド断面を基準断面とし、前記基準平面内に位置するとともに前記基準断面の図心を通り且つ前記基準垂線と垂直な軸をｘ軸とし、前記基準平面内に位置するとともに前記基準断面の図心を通り且つ前記基準垂線と平行な軸をｙ軸としたとき、前記ｘ軸についての前記基準断面の断面２次モーメントＩｘの値と、前記ｙ軸についての前記基準断面の断面２次モーメントＩｙの値と、前記Ｉｘと前記Ｉｙとの比（Ｉｘ／Ｉｙ）の値とを考慮することを特徴とする。
【０００７】
この設計方法によれば、各断面２次モーメントＩｘ、Ｉｙ及び（Ｉｘ／Ｉｙ）を適切に設定することでヘッドの変形態様を最適化し、反発性能を高めることが出来る。また、この設計方法において、前記Ｉｘを３０００００（ｍｍ４）以上５５００００（ｍｍ４）以下とし、前記Ｉｙを１５００００（ｍｍ４）以上３５００００（ｍｍ４）以下とし、前記（Ｉｘ／Ｉｙ）を１．３以上３．０以下とすることにより、上述したようにゴルフクラブヘッドの反発性能を高めることが出来る。
【発明の効果】
【０００８】
本発明によれば、断面２次モーメントＩｘ、Ｉｙ及びその比（Ｉｘ／Ｉｙ）を考慮することにより、ヘッドの変形態様を最適化して反発性能を高めることが出来る。
【発明を実施するための最良の形態】
【０００９】
以下に、本発明の実施形態を図面を参照しつつ説明する。
図１は、本発明の第一実施形態であるゴルフクラブヘッド１をフェース面側から見た正面図であり、図２はヘッド１をクラウン部側からみた平面図である。このヘッド１は、所謂ウッド型のゴルフクラブヘッドであり、打球時にボールと接触するフェース面２ａを構成するフェース部２と、ヘッド１の上面を構成するクラウン部３と、ヘッド１の下面を構成するソール部４と、クラウン部３とソール部４と間に延びるフェース部２以外の部分であるサイド部５と、シャフト（図示せず）を挿入接着するためのシャフト穴１０を備えたホーゼル部１１と、を備えている。
なお、ヘッド１の材質は特に限定されず、例えば６Ａｌ−４Ｖチタン、１５Ｖ−３Ｃｒ−３Ａｌ−３Ｓｎチタン、１５Ｍｏ−５Ｚｒ−３Ａｌチタン、１３Ｖ−１１Ｃｒ−３Ａｌチタンなどのチタン合金、ステンレス合金、アルミニウム合金、マグネシウム合金、ＣＦＲＰ（炭素繊維強化プラスチック）などを単体または複合させて用いることが出来る。
【００１０】
図３は、この第一実施形態のヘッド１の断面図であり、より詳細には、後述する基準平面ｋｈによる断面である。図３に示すように、ヘッド１の肉厚分布は、フェース部２が他の部分よりも厚肉とされている。また、フェース部２の周縁部分はその中央部分よりも薄肉とされており、フェース部２の打球時の変形量（撓み量）を大きくしてヘッド１の反発係数が増大するように構成されている。
【００１１】
図１〜図３に示すように、ヘッド１を所定のライ角及びロフト角で水平面Ｐ（図１参照）上に載置した状態において、ヘッド１の中空部分に位置するヘッド重心ｇからフェース面２ａに下ろした垂線が基準垂線ｋｓである（図３参照）。そして、この基準垂線ｋｓとフェース面２ａ（フェース部２の外面）との交点がスイートスポットＳＳである。また、この基準垂線ｋｓを含み且つ前記水平面Ｐと垂直な平面が基準平面ｋｈである。よって、基準平面ｋｈは、スイートスポットＳＳとヘッド重心ｇとを含む平面である（図２参照）。
【００１２】
図３は、この基準平面ｋｈによるヘッド１の断面図であり、これをヘッド１の基準断面ｋｄというものとする。そして、この基準断面ｋｄ（図３のハッチング部分）の図心ｚを通り且つ基準垂線ｋｓと垂直な軸をｘ軸とし、図心ｚを通り且つ基準垂線ｋｓと平行な軸をｙ軸とする。したがって、ｘ軸、ｙ軸共に基準平面ｋｈ上の線となる。
なお、この図３の実施形態では、ヘッド重心ｇと図心ｚとが異なる位置となっている。ヘッド重心ｇと図心ｚとは通常は一致しない。
【００１３】
ここで、基準断面ｋｄの断面２次モーメントを、上記ｘ軸及びｙ軸のそれぞれについて考える。このヘッド１では、ｘ軸についての基準断面ｋｄの断面２次モーメントＩｘが３０００００（ｍｍ４）以上５５００００（ｍｍ４）以下となっており、且つ、ｙ軸についての基準断面ｋｄの断面２次モーメントＩｙが１５００００（ｍｍ４）以上３５００００（ｍｍ４）以下とされている。また、これらＩｘとＩｙとの比（Ｉｘ／Ｉｙ）が１．３以上３．０以下とされている。
【００１４】
このようにすると、Ｉｘ、Ｉｙ及び（Ｉｘ／Ｉｙ）の値が最適化されるから、ヘッドの変形量が十分に確保されるとともに、打球時のエネルギーロスが最小限となり、反発性能が向上する。
【００１５】
フェース面２ａ内のうち主として打球される部分はスイートスポットＳＳ付近であり、また、スイートスポットＳＳに近い位置で打球すればするほど反発係数が高くなる。したがって、ヘッド１の反発特性を考慮するに際しては、スイートスポットＳＳが打点とされた場合のヘッド１の変形態様を考慮することが重要である。よって、このスイートスポットＳＳを含む基準平面ｋｈにおける断面、即ち基準断面ｋｄの断面２次モーメントを考慮することが極めて重要となる。
【００１６】
また、基準平面ｋｈを前記水平面Ｐと垂直な平面とした理由は以下の通りである。ヘッド１のフェース部２は、一般にトウ・ヒール方向よりも上下方向（クラウン・ソール方向）のほうが狭くなっている。よって、クラウン部３やソール部４のトウ・ヒール方向中央部分（中でも特にフェース部２寄りの部分）は、打点から比較的近くに位置することになる。したがって、打撃時においてヘッド１に作用する応力のうち、フェース部２以外の部分（クラウン部３、ソール部４等）に作用する応力の大きさは、スイートスポットＳＳに比較的近い部分、即ち、クラウン部３やソール部４のトウ・ヒール方向中央部分において特に大きくなる。よって、クラウン部３やソール部４のトウ・ヒール方向中央部分（中でも特にフェース部２寄りの部分）の変形量は、フェース部２以外の他の部分の変形量よりも比較的大きいことが多い。従って、打撃時におけるヘッド１の変形態様を考慮する場合には、比較的大きな応力が作用するクラウン部３やソール部４のトウ・ヒール方向中央部分を含んだ断面、即ち前記水平面Ｐと垂直な断面とするのがよいと考えられる。また、ここでは、打撃時のヘッドの変形態様として、単にフェース部２のみの変形態様を考えるのではなく、ヘッド１全体の変形態様を考えている。よって、フェース部２のみの断面でなくヘッド１全体の断面として前述した基準断面ｋｄを考慮している。
【００１７】
Ｉｘは、ヘッド１のフェース・バック方向におけるヘッド１の変形しにくさをおおよそ示しており、Ｉｙは、ヘッド１の上下方向（クラウン・ソール方向）におけるヘッド１の変形しにくさをおおよそ示している。つまり、Ｉｘが大きいほどフェース・バック方向に変形しにくくなり、Ｉｙが大きいほど上下方向（クラウン・ソール方向）に変形しにくくなる。ヘッド１では、Ｉｘ及びＩｙを上記数値以下としているので、Ｉｘ又はＩｙが大きすぎてヘッドの変形量が不足することがなく、反発性が高くなる。一方、ＩｘやＩｙが小さすぎると、変形量が大きくなりすぎてエネルギーロスが発生し、かえって反発特性が低下するが、Ｉｘ及びＩｙを上記数値以上としているので、かかるエネルギーロスが抑制される。
【００１８】
打撃時にボールにより与えられる応力は、主としてフェース面２ａに垂直な方向の応力であるから、ヘッド１はフェース・バック方向に変形するが、かかるフェース・バック方向の変形に連動して上下方向（クラウン・ソール方向）にも変形する。よって、ＩｘとＩｙとの両者を考慮することにより、ヘッド全体の変形態様を的確に把握することができ、ヘッド１の反発性能を十分に高めることが可能となる。
【００１９】
そして、ＩｘとＩｙとの相対関係をも考慮することにより、反発性能を更に高めることが出来る。即ち、比（Ｉｘ／Ｉｙ）が上記所定値以下であるから、Ｉｘが大きすぎてフェース・バック方向への変形が不足したり、Ｉｙが小さすぎて上下方向へ過剰に変形してエネルギーロスが過大となることがない。また、比（Ｉｘ／Ｉｙ）が所定値以上であるから、Ｉｘが小さすぎてフェース・バック方向へ過剰に変形しエネルギーロスが過大となったり、Ｉｙが大きすぎて上下方向への変形が不足したりすることがない。そして、比（Ｉｘ／Ｉｙ）を上記範囲とすることにより、ヘッドの変形が復元するタイミングとインパクトで潰れるように変形したボールの復元のタイミングが合いやすくなり、エネルギーロスが少なくなって反発特性が向上する。
【００２０】
更に、ＩｘとＩｙとの比（Ｉｘ／Ｉｙ）を上記各数値の範囲内に設定することにより、ＩｘとＩｙとのバランスが良好となってヘッド全体が効率よく変形する。即ち、比（Ｉｘ／Ｉｙ）を上記範囲に設定してＩｘとＩｙとのバランスを良好とすることにより、トウ・ヒール方向と上下方向とにバランス良く変形する。そうすると、ヘッド全体として十分な変形量が得られて反発性能が向上する。
また、ＩｘとＩｙとのバランスが良好でない場合、打撃時の変形がフェース・バック方向又は上下方向（クラウン・ソール方向）のいずれか一方に過度に偏ることになる。したがってこの場合、ヘッドの特定部分のみが過度に変形したり、特定部分のみに応力が過度に集中したりすることがある。しかし本発明では、比（Ｉｘ／Ｉｙ）を適切に設定したので、ヘッド全体がバランス良く変形しやすくなり、特定部分の過度の変形や特定部分への応力集中が最小限に抑制される。よって、エネルギーロスを最小限とすることができるとともに、ヘッド強度を高めることも出来る。
【００２１】
以上の理由により、Ｉｘ、Ｉｙ及び比（Ｉｘ／Ｉｙ）が上記の範囲内に設定されており、より好ましくは、Ｉｘは３２００００（ｍｍ４）以上とするのがよく、４５００００（ｍｍ４）以下とするのがよい。また、（Ｉｘ／Ｉｙ）は、１．４以上とするのが好ましく、１．８以下とするのが好ましい。
【００２２】
Ｉｘ、Ｉｙの各値は、コンピュータにより容易に求めることが出来る。汎用の３次元ＣＡＤソフトにヘッド１の３次元データを読み込ませ、ヘッド重心ｇやスイートスポットＳＳから基準平面ｋｈを定義して基準断面ｋｄを決定すれば、図心ｚ及びＩｘ、Ｉｙは当該ソフトにより求めることができる。
そして、Ｉｘ及びＩｙの値を適宜調整して、所望のＩｘ、Ｉｙ、比（Ｉｘ／Ｉｙ）を得ることができる。
【００２３】
Ｉｘ及びＩｙを調整するには、基準断面ｋｄを以下のように調整すればよい。
Ｉｘを小さくするには、例えばｙ軸方向の長さを短くしたり、ｙ軸と平行な方向の肉厚を薄くしたりすればよい。ヘッド体積をほぼ一定にしたままＩｘを小さくするには、ｙ軸方向の長さを短くしてｘ軸方向の長さを長くすればよい。また、ヘッド重量をほぼ一定にしたままＩｘを小さくするには、ｙ軸と平行な方向の肉厚を薄くしてｘ軸と平行な方向の肉厚を厚くすればよい。Ｉｘを大きくするにはその逆である。即ち、Ｉｘを大きくするには、例えばｙ軸方向の長さを長くしたり、ｙ軸と平行な方向の肉厚を厚くしたりすればよい。
Ｉｙを小さくするには、例えばｘ軸方向の長さを短くしたり、ｘ軸と平行な方向の肉厚を薄くしたりすればよい。ヘッド体積をほぼ一定にしたままＩｙを小さくするには、ｘ軸方向の長さを短くしてｙ軸方向の長さを長くすればよい。また、ヘッド重量をほぼ一定にしたままＩｙを小さくするには、ｘ軸と平行な方向の肉厚を薄くしてｙ軸と平行な方向の肉厚を厚くすればよい。Ｉｙを大きくするにはその逆である。即ち、Ｉｙを大きくするには、例えばｘ軸方向の長さを長くしたり、ｘ軸と平行な方向の肉厚を厚くしたりすればよい。
そして、ヘッド１の形状を変えることなくヘッド１の全体に亘ってヘッド肉厚を厚くすれば、Ｉｘ及びＩｙのいずれも大きくなる。逆にヘッド１の全体に亘ってヘッド肉厚を薄くすれば、Ｉｘ及びＩｙのいずれも小さくなる。
また、ヘッド体積や肉厚分布が略一定という前提では、基準断面ｋｄを丸い形状に変化させるとＩｘやＩｙが小さくなる傾向があり、基準断面ｋｄを四角い形状に変化させるとＩｘやＩｙが大きくなる傾向がある。上述のように、ＩｘやＩｙを調整するのにヘッド肉厚を増減させる手法を用いても良いが、肉厚を変更する場合はヘッド重量やヘッド強度が変動するので、再度ヘッド重量やヘッド強度を調整する必要がある。しかし、肉厚を一定としたまま基準断面ｋｄの形状を変化させることでＩｘやＩｙの値を調整すると、ヘッド重量はヘッド強度が大きく変化しにくく、ヘッド設計が比較的容易である。
以上のようにＩｘやＩｙの値を適宜調整することができるが、要するに、断面２次モーメントとは、断面の微小面積に軸までの距離の２乗を掛けたものを積分したものであるから、このことを考慮して基準断面ｋｄを設計すればＩｘ及びＩｙを所望の値とすることができる。
【００２４】
図４は、本発明の第二実施形態のヘッド１の基準断面ｋｄである。この図４の実施形態は、図３の第一実施形態の基準断面ｋｄをヘッドのバック側上部を除いて同一形状である。即ち、図４の実施形態では、図３の実施形態よりも基準断面ｋｄのバック側上部が外側に張りだして角張ったような形状とされている。かかる形状変更により、図４の実施形態では、図３の実施形態よりもＩｘ及びＩｙが大きくなっている。
【００２５】
本発明は、飛距離性能が最も重視される所謂ドライバー（Ｗ＃１）に適用されるのが好ましい。ドライバーの仕様は、通常、クラブ長さが４３．５〜４８インチ、リアルロフト角が６度〜１５度程度である。そして、本発明のゴルフクラブヘッドのヘッド重量は、１６０ｇ以上２２０ｇ以下が好ましい。１６０ｇ以下であると、クラブバランスが軽く成りすぎて振りにくくなったり、特に３５０ｃｃ以上の体積とした場合にヘッド肉厚が薄くなりすぎて製造が困難となる場合がある。２２０ｇ以上であると、特に上記ドライバーのクラブ長さとするとクラブバランスが重くなりすぎて振りにくくなる場合がある。
【００２６】
ヘッド体積は、３００ｃｃ以上が好ましく、３５０ｃｃ以上がより好ましい。ヘッド体積が小さすぎると、特に上記好ましいヘッド重量に設定した場合にヘッド肉厚が厚くなりすぎ、打撃時の変形が不足する場合がある。また、ヘッド体積は６００ｃｃ以下が好ましく、４７０ｃｃ以下がより好ましい。ヘッド体積が大きすぎると、特に上記好ましいヘッド重量に設定した場合にヘッド肉厚が薄くなりすぎ、ヘッド強度が不足する場合がある。
【００２７】
本発明におけるゴルフクラブヘッドの設計方法は、前述した断面２次モーメントＩｘの値と、断面２次モーメントＩｙの値と、前記Ｉｘと前記Ｉｙとの比（Ｉｘ／Ｉｙ）の値とを考慮する設計方法である。この設計方法によれば、各断面２次モーメントＩｘ、Ｉｙ及び（Ｉｘ／Ｉｙ）を適切に設定することにより、上述したようにヘッドの変形態様を最適化し、反発性能を高めることが出来る。また、この設計方法において、前記Ｉｘを３０００００（ｍｍ４）以上５５００００（ｍｍ４）以下とし、前記Ｉｙを１５００００（ｍｍ４）以上３５００００（ｍｍ４）以下とし、前記（Ｉｘ／Ｉｙ）を１．３以上３．０以下とすることにより、上述したようにゴルフクラブヘッドの反発性能を高めることが出来る。
具体的には、実物あるいはコンピュータのＣＡＤ上にてゴルフクラブヘッドの一次試作品を作製し、これの各断面２次モーメントＩｘ及びＩｙをコンピュータ等で適宜計算した上、所望のＩｘやＩｙが得られていない場合には、上述した手法によりＩｘ及びＩｙを所望の値となるように一次試作品を適宜調整すればよい。一回の調整で所望のＩｘ及びＩｙが得られなければ、この調整を繰り返せばよい。
【００２８】
（実施例による本発明の効果の検証）
以下に、実施例１〜１３及び比較例１〜２０を作製して比較評価することにより、本発明の効果を検証した。
全ての実施例及び全ての比較例（以下、全ての例ともいう）において、ヘッド材質はチタン合金とし、ヘッド重量は１９０ｇ〜１９２ｇとし、リアルロフト角は１０度〜１１度の間に設定し、ライ角は５６度〜５７度とした。また、全ての例は同一の製法により作製されたものであり、具体的には、フェース部２を鍛造にて作製し、フェース部２以外の部分であるヘッド本体をロストワックス精密鋳造にて作製した上、両者を溶接することにより作製した。
実施例の仕様及び評価結果を以下の表１に示し、比較例の仕様及び評価結果を以下の表２に示す。
【００２９】
【表１】
2005334327.tif 000003
【表２】
2005334327.tif 000004
【００３０】
各表において「反発係数」とは、Ｕ．Ｓ．Ｇ．Ａ．の Procedure for Measureing the Velocity Ratio of a Club Head for Conformance to Rule 4-1e, Revision 2 (February 8, 1999) に類似した方法で測定された反発係数である。ゴルフボールをボール発射装置を用いて発射し、台座上に固着することなく載置されたヘッドのフェース部のスイートスポット付近に衝突させる。ボールはヘッドのスイートスポットの位置から５ｍｍ以上離れない位置で且つフェース面に対して直角に衝突させる。そして、ゴルフボールの衝突直前の入射速度Ｖｉと跳ね返り速度Ｖｏとを測定した。更に、ゴルフボールの入射速度をＶｉ、跳ね返り速度Ｖｏ、ヘッド質量をＭ、ゴルフボールの平均質量をｍとした場合に、次式により反発係数を算定した。
（Ｖｏ／Ｖｉ）＝（ｅＭ−ｍ）／（Ｍ＋ｍ）
なお、ゴルフボールの発射口からフェース部までの距離は１ｍとし、ゴルフボールはタイトリスト社のピナクルゴールドを使用し、ボール初速は４８．７７ｍ／ｓに設定した。また、速度センサーの位置は、ヘッドから３６０．２ｍｍ、同６３５mmに設置した。
【００３１】
そして、横軸をＩｘ（ｍｍ４）、縦軸をＩｙ（ｍｍ４）として、これら実施例及び比較例の値をプロットした散布図が図５である。
表１及び表２に示すように、全ての実施例は、全ての比較例よりも反発係数が大きくなっている。
【図面の簡単な説明】
【００３２】
【図１】本発明の第一実施形態のゴルフクラブヘッドをフェース面側からみた図である。
【図２】図１のゴルフクラブヘッドをクラウン部３側からみた図である。
【図３】図１のゴルフクラブヘッドの基準断面である。
【図４】本発明の第二実施形態のゴルフクラブヘッドの基準断面である。
【図５】横軸をＩｘ（ｍｍ４）、縦軸をＩｙ（ｍｍ４）とした座標系において、各実施例及び各比較例の（Ｉｘ，Ｉｙ）をプロットしたグラフである。
【符号の説明】
【００３３】
１    ゴルフクラブヘッド
２ａ  フェース面
ｋｈ  基準平面
Ｐ    水平面
ｋｓ  基準垂線
ｇ    ヘッド重心
ｋｄ  基準断面
ｚ    基準断面の図心
【図１】
2005334327.tif 000005
【図２】
2005334327.tif 000006
【図３】
2005334327.tif 000007
【図４】
2005334327.tif 000008
【図５】
2005334327.tif 000009